(57)【要約】    【課題】  簡単な構造の排水口により、吸入口と排水口との間の洗浄水の吸込みパイプ下端との間の流れを安定させて排出すべき洗浄水の再吸入を起しにくくし、また吸入口と洗浄槽底部とのクリアランス不足による吸入不良を防ぐ。    【解決手段】  複数の孔部を設けた水平板と、該水平板の三方の縁より下側に垂設された垂直板と他の一方の縁より上側へ立設された垂直板を有する吸込み板を洗浄槽の底面上に設置して前記水平板を洗浄液吸入口の開口部に臨ませ、前記上側の垂直板に設けた取付孔に通したバンドを洗浄液吸入管の下端部に巻き回して固定する。  【選択図】  図３
2008093594.tif 000002
【特許請求の範囲】
【請求項１】
配管を洗浄するための洗浄水を貯留する洗浄槽において、水平板と、該水平板の三方の縁より下側に垂設された垂直板とを有する吸込み板を洗浄槽の底面上に設置し、前記水平板を洗浄液吸入口の開口部に臨ませたことを特徴とする洗浄槽の排水構造。
【請求項２】
前記水平板に複数の孔部を穿設したことを特徴とする請求項１記載の洗浄槽の排水構造。
【請求項３】
前記水平板の一方の縁より上側へ複数の取付孔を設けた垂直板を立設し、該取付孔に通した帯体を洗浄液吸入口の下端部に巻き回すことにより、該配管と吸込み板とを固定したことを特徴とする請求項１または２記載の洗浄槽の排水構造。
【請求項４】
前記吸入口は洗浄槽の排水口から平面上でずれた位置に設けられており、前記３個の垂直板のうち中間の位置にある垂直板が洗浄槽の排水口と正対するように前記吸込み板を設置したことを特徴とする請求項１ないし３記載の洗浄槽の排水構造。
【請求項５】
洗浄槽の側方を下行してきた回収管を水平に屈曲させて洗浄槽の下を通し、洗浄槽の反対側に設置した排水弁を介して排水路に接続すると共に、洗浄槽底部の排出口の下から戻り配管を上方に分岐させて排出口と接続したことを特徴とする請求項１ないし４記載の洗浄槽の排水構造。
【発明の詳細な説明】
【技術分野】
【０００１】
本発明は、配管を洗浄させるための洗浄水を貯溜する洗浄槽、例えばパイプラインミルカーの縦型洗浄槽において、排水効率を向上させることのできる洗浄槽の排水構造に関する。
【背景技術】
【０００２】
食品製造業においては食品と接する配管設備が常に衛生的であることが望まれる。例えばミルカーのティートカップ、送乳チューブ、レシーバタンク等も牛乳及び牛体に直接接触するものであるから、常に清潔に保ち、雑菌の繁殖を防ぐ必要がある。そこで毎回の搾乳作業の前後に搾乳ラインに温水、酸性・アルカリ性洗浄水等の洗浄水を所定の順序で流して残乳を除去しなければならない。
【０００３】
送乳ラインや搾乳ユニット等を洗浄するための方式は、ミルカーの構成に応じていくつかの種類がある。図１に示すものは縦型洗浄槽を用いる方式である。搾乳時には真空ポンプ１０によってミルクパイプＰ１に送乳真空圧を適用することにより搾乳ユニット３０内のミルクをレシーバータンク２０に集め、さらにミルクポンプ４０によって送乳パイプＰ２を通してバルククーラー５０へ移し冷却保管する。パイプＰ２のミルクポンプ４０の吐出側からは洗浄水回収管Ｐ３が分岐して洗浄槽底部の回収口６０ａに連通している。また各搾乳ポイント毎にウオッシャー９０が設けられ、また配管Ｐ１から三方弁Ｖ１を介して洗浄液吸入管Ｐ４が分岐し洗浄槽６０に接続されている。（搾乳真空圧ラインは省略してある。）縦型洗浄槽はスペース効率に優れ、また開口部を覆うことにより衛生的であるという利点がある。
【０００４】
図２は縦型洗浄槽の排水構造の一例を示す縦断面図である。縦型洗浄槽６０の上部から吸入管Ｐ４が貫入し、ホースバンドやハンガー等を用いて下向きに固定され、下端が洗浄槽の底面６０ｂに臨んでいる。また洗浄槽６０の側方を下行する回収管Ｐ３の下端に水平管Ｐ５が接続され、水平管Ｐ５の一方は排水弁８０を介して図示しない排水路に開放され、他方は底面中央部で上方に屈曲して排水口６０ａに接続されている。このような構成により、かけ流しや洗浄終了の際に洗浄水を洗浄槽に戻さず、直接排水路に排水するようにしている。
【０００５】
この方式の配管を循環洗浄するには、まず洗浄槽６０内に必要な洗浄液を所定高さまで満たし、バルククーラー５０への配管Ｐ２を回収管Ｐ３側に繋ぎ替えポンプ１０及び４０を駆動すると、吸込管Ｐ４から吸い上げられた洗浄液が配管Ｐ１を通ってレシーバータンク２０に入り、回収管Ｐ３を通って洗浄槽６０に戻る。洗浄終了時やかけ流し洗浄の場合には、排水弁８０を開くと戻った洗浄液が排出され、洗浄槽６０内の洗浄液がなくなると洗浄が終了する。その後洗浄槽内に残った洗浄水は排水口より排出される。
【０００６】
特開平９−５６２８８号公報は、大型の洗浄槽を用いる洗浄方式の排水構造の改良に係る発明を開示している。この方式では洗浄槽上方を通るパイプＰ１の接続口に搾乳ユニットを吊下げ、各ティートカップの先端を洗浄液中に浸した状態でポンプを駆動すると、搾乳ユニットの内部を吸い上げられた洗浄液が配管を循環し洗浄する。そして洗浄槽の排水口にコイルバネと水圧で開閉する弁体を備えたデバータを設けることにより、排水すべき洗浄液の再混入を防ぐことを開示している。
【特許文献１】特開平９−５６２８８号公報
【発明の開示】
【発明が解決しようとする課題】
【０００７】
配管の洗浄において、循環により汚れたり温度の下降した洗浄水は再び循環させず確実に排水する必要があるが、排水弁から排水すべき洗浄水が正常に排水されず洗浄槽に戻って再度吸入されることがあると、配管の汚染を招くので問題となっていた。排水口への戻り配管に専用の電磁開閉弁を備えればこれは解決されるが、大型のものが必要となりコストアップ要因となる。特開平９−５６２８８号の発明は洗浄槽の排水口に弁を設けることによりこれを解決しているが、機械的な開閉装置を用いるためやはり構造が複雑となる問題があった。
【０００８】
また洗浄槽には、洗浄液が配管を一周して戻る間に吸入口から空気を吸わないだけの洗浄水量を貯溜する必要がある。そして必要な洗浄水量は吸入口の位置が高いほど多くなるから、洗浄水を節約するには吸入口を低くすることが望ましい。しかし吸入口の位置があまり下がってクリアランスが不足すると吸入不良を起すおそれがあった。特に縦型洗浄槽の場合、吸込管が経時につれて自重で下がることがあり問題であった。
【０００９】
そこで本発明は、開閉装置を用いない簡単な構造の排水口により、吸入口と排水口との間の洗浄水の吸込みパイプ下端との間の流れを安定させて排出すべき洗浄水の再吸入を起しにくくすること、また吸入口と洗浄槽底部とのクリアランス不足による吸入不良を防ぐことを目的とする。
【課題を解決するための手段】
【００１０】
請求項１記載の発明は、配管に強制循環させて洗浄するための洗浄液を貯留する洗浄槽において、水平板と、該水平板の三方の縁より下側に垂設された垂直板とを有する吸込み板を洗浄槽の底面上に設置し、前記水平板を洗浄液吸入口の開口部に臨ませたことを特徴とする洗浄槽の排水構造により、上記の課題を解決する。洗浄液吸入口とは、本発明を縦型洗浄槽に適用する場合は洗浄液吸入管の下端開口となる。
【００１１】
本発明の洗浄槽の排水構造は、洗浄液を吸入する開口部に臨ませて、開口部と排水口の間の洗浄液の流れを規制する吸込み板を設けたことにより、吸入口の負圧が排出口に及んで排出すべき洗浄液が再吸入されることを防止する。脚部は洗浄槽の底面に固定してもよいが、好ましくは洗浄水吸入口の位置にあわせて移動可能とする。
【００１２】
請求項２記載の発明は、請求項１記載の洗浄槽の排水構造において、前記水平板に複数の孔部を穿設したことを特徴とする。水平板に穿設された複数の孔部は流れを安定させる効果があり、また何らかの理由で水平板とのクリアランスが不足する場合でも吸入不良を起すことを防止する効果がある。この構成は吸入管が自重により下がることが問題となりやすい縦型洗浄槽において特に有効である。
【００１３】
請求項３記載の発明は、請求項１または２記載の洗浄槽の排水構造において、前記吸込み板の水平板の一方の縁よりさらに上側に垂直板を立設し、階垂直板に２個の取付孔を設ける。そしてこの取付孔に通した帯体を洗浄液吸入口の下端部に巻き回して該吸入口と吸込み板とを固定する。好ましくは、下側の垂直板を設けない開放側の縁より上側に２個の長孔を設けた垂直板を立設し、この長孔に通したホースバンドを吸入管の下端部の周に巻き回すことにより吸入管と吸込み板とを緊結固定する。すなわち吸入口を垂直板に固定することにより、開口と水平面の位置を安定させるものである。
【００１４】
請求項４記載の発明は、請求項１ないし３記載の洗浄槽の排水構造において、前記吸入口を洗浄槽の排水口から平面上でずれた位置に設け、前記３個の垂直板のうち中間の位置にある垂直板が洗浄槽の排水口と正対するように吸込み板を設置したものである。平面コの字状に配置された垂直板のうち中間の辺が排水口に近い側となるように設置することによって、邪魔板としての機能を高めるものである。
【００１５】
請求項５記載の発明は、請求項１ないし４記載の洗浄槽の排水構造において、洗浄槽の側方を下行してきた回収管を水平に屈曲させて洗浄槽の下を通し、洗浄槽の反対側に設置した排水弁を介して排水路に接続すると共に、洗浄槽底部の排出口の下から戻り配管を上方に分岐させて排出口と接続したことを特徴とする。排出口への戻り配管を上方分岐とすることで、洗浄槽からの負圧が生じた場合でも排出すべき洗浄液の再吸入を起しにくくしたものである。
【発明の効果】
【００１６】
上記の各発明によれば、洗浄槽の吸入口の開口部のクリアランス不足による洗浄不良や、排出すべき洗浄水の再吸入を効果的に防止することができるので、必要な洗浄水量を最低限とすることができる。また洗浄水の流れを規制することにより効率の良い洗浄槽の構成が可能となる。
【発明を実施するための最良の形態】
【００１７】
以下、図面を参照しながら、本発明を縦型洗浄槽に適用する場合の具体的な実施形態について説明する。図３は本発明に係る洗浄槽の縦断面図であるが、配管は簡単のため側面視で示してある。またミルカー全体の構成は図１のものと略同様であるので同じ番号を用いる。縦型洗浄槽６０は底部６０ｂの中心に排水口６０ａを有し、また上部を蓋体６０ｄによって塞がれている。蓋体６０ｄの偏心部を貫通して吸入管Ｐ４が挿入され下端が排水口６０ａの上部をさけた周に開口している。一方、洗浄槽６０の側方を下行してきた回収管Ｐ３は、洗浄槽の底部より低い位置で水平に屈曲して洗浄槽６０の下側を通り、反対側で排水弁８０を介して排水路（図示せず）に開放されている。そして排水口６０ａの真下において回収管Ｐ３から戻り配管Ｐ５が上方に分岐して排水口６０ａに接続されている。また吸入管Ｐ４の下側には吸込み板１が設置されている。
【００１８】
図４は、吸込み板１の三面図及び斜視図である。吸込み板１は略正方形の水平板１ａと、水平板１ａの三辺よりそれぞれ垂下する垂直板１ｂ、１ｃ、１ｄと、他の一辺より直立する垂直板１ｅから主に構成されている。これらは鋼板から打ち抜いたものを折り曲げて作成することができる。本実施例では垂直板１ｂ、１ｃ、１ｄの隣り合う縁は互いに密着して全体として水平断面がコの字状の脚部を形成している。垂直板１ｅの左右各辺に沿って一対の縦長の長孔１ｆが設けられており、これにホースバンドを通して吸入管Ｐ４の下端を巻き回すことにより吸入管Ｐ４と吸込み板１を緊結している。また水平板１ａには多数の小孔１ｇが穿設されている。
【００１９】
このような構造の排水口を備えた洗浄槽を使用して配管に洗浄水を循環させるには、上と同様に各ティートカップ３０ａを手近のウオッシャー９０に接続し、三方弁Ｖ１を操作して吸入管Ｐ４とパイプＰ１を連通させる。そしてバルククーラー５０への配管Ｐ２を回収管Ｐ３側に切換えてポンプ１０及び４０を駆動すると、搾乳ユニット３０の内部を吸い上げられた洗浄水が配管Ｐ１を通ってレシーバータンク２０に入り、回収管Ｐ３を通って洗浄槽６０に戻る。
【００２０】
このときの洗浄槽内の洗浄水の流れを図４に矢印で示す。排水口６０ａから流入した洗浄水は、一部は水平板１ａに穿設された多数の小孔１ｇを通って吸入管Ｐ４の下端へ至り再吸入される。他の一部は垂直板１ｂないし１ｄの存在しない一方の側面より吸込み板１の脚部の外側に出たのち水平板１ａの縁から回り込んで吸入管Ｐ４の下端へ至る。本実施例では吸入管Ｐ４の下端が垂直板１ｅに固定されているため吸入管Ｐ４が自重で下がりクリアランス不足となることが防止される。さらに水平板１ａに穿設された多数の小孔１ｇによりフィルター効果が発揮される。
【００２１】
かけ流しや洗浄終了の際に洗浄水を排水するには、排水弁８０を開いてポンプ１０、４０を駆動すると回収パイプＰ２を還流してきた洗浄水は排水弁８０を介して図示しない排水路に放出される。このときに洗浄槽６０内では吸込み板１が邪魔板の作用をなし、吸入管Ｐ４の負圧が直接に排水口にかかることが防止されるので、洗浄水が排水口６０ａから再吸入されることがない。そして洗浄槽６０内の液面が吸入管Ｐ４の下端より低くなることで洗浄が終了する。
【００２２】
図５は別の実施例における洗浄槽内における吸込み板の取り付け位置を示す平面図である。中央に排水口６０ａがあり、そこから平面状にずれた位置に吸入管Ｐ４の下端が開口している。水平板１ａが吸入管Ｐ４の開口に当接するように吸込み板１を固定すると、排水口６０ａから流入した洗浄水は両側の垂直板１ｂ、１ｄの外側を回って水平板１ａの下側に入り、そこからさらに水平板１ａの小孔１ｇを通って吸入管Ｐ４の開口に至るから、吸込み板１の邪魔板機能が発揮され、洗浄水の流れがいっそう安定する。吸入口を効率的に配置することにより、洗浄槽を小型化して必要な洗浄水量を減らすことも期待できる。
【００２３】
上では本発明を縦型洗浄槽の排水口に用いる場合について説明したが、本発明の洗浄槽の排水構造は大型の洗浄槽を用いるミルキングパーラーにも適用可能である。またミルカー以外の配管洗浄に用いる洗浄槽にも適用可能と考えられる。
【産業上の利用可能性】
【００２４】
本発明では簡易な構造でティートカップの洗浄を確実にして牛乳の品質を向上させると共に洗浄水の節約効果もあるから、産業上多大な利用可能性がある。
【図面の簡単な説明】
【００２５】
【図１】代表的な搾乳装置の配管方式を示す説明図である。
【図２】従来の洗浄槽周りの配管の一例を示す縦断面図である。
【図３】本発明に係る洗浄槽の排水構造を示す縦断面図である。
【図４】図３の吸込み板の詳細と洗浄水の流れを示す三面図及び斜視図である。
【図５】本発明の吸込み板の平面配置の一例を示す説明図である。
【符号の説明】
【００２６】
１  吸込み板
１ａ  水平板
１ｂ  垂直板
１ｃ  垂直板
１ｄ  垂直板
１ｅ  垂直板
１ｆ  長孔
１ｇ  小孔
６０  洗浄槽
７０  各接続口
８０  排水弁
Ｐ３  吸入管
【図１】
2008093594.tif 000003
【図２】
2008093594.tif 000004
【図３】
2008093594.tif 000005
【図４】
2008093594.tif 000006
【図５】
2008093594.tif 000007